(57)【要約】【課題】外観を損なうことなく収納時における電源遮断制御を行うことを可能にする。【解決手段】磁気検出センサからの入力信号に基づき、磁気を検出したか否かを判断する（ステップＳ１０１）。このとき、ユーザがデジタルカメラを使用しており、デジタルカメラがケース外に取り出されている状態あれば、ステップＳ１０１の判断はＮＯとなる。撮影を終了してデジタルカメラをケース内に収納すると、磁気検出センサがケースに設けられているマグネットの磁気を検出する。よって、ステップＳ１０１の判断がＹＥＳとなり、ステップＳ１０２→ステップＳ１０３とに進んで、電源遮断する。したがって、沈胴式レンズ部が動作して障害物となるケース体の内面に向かって繰り出されることがことがなく、沈胴式レンズ部に無理な外力が作用することを未然に防止することができ、その結果、破損を防止することができる。【選択図】図６
2010271430.tif 000002
【特許請求の範囲】
【請求項１】
当該撮像装置の各部に電力を供給する電源手段と、
磁気を検出する磁気検出手段と、
前記磁気検出手段により磁気が検出されている否かを判断する判断手段と、
前記判断手段により磁気が検出されていると判断された場合、前記電源手段の電力供給を遮断する電源制御手段と
を備えることを特徴とする撮像装置。
【請求項２】
当該撮像装置の各部に電力を供給する電源手段と、
特定の匂いを検出する匂い検出手段と、
前記匂い検出手段により特定の匂いが検出されている否かを判断する判断手段と、
前記判断手段により特定の匂いが検出されていると判断された場合、前記電源手段の電力供給を遮断する電源制御手段と
を備えることを特徴とする撮像装置。
【請求項３】
装置本体から突出した使用時状態と装置本体内に退入した格納時状態とに動作する沈胴式光学系と、
前記電源手段により電力を供給されて前記沈胴式光学系を駆動する第１の駆動手段とを備えることを特徴とする請求項１又は２記載の撮像装置。
【請求項４】
光学系と、
前記光学系を光軸方向に変位させて合焦位置に駆動する第２の駆動手段とを備えることを特徴とする請求項１又は２記載の撮像装置。
【請求項５】
マグネットを有する所定のケースに収納し得る外部形状を備え、
前記磁気手段は、当該撮像装置を前記ケース内に収納した状態において、前記マグネットと対向する部位に配置されていることを特徴とする請求項１記載の撮像装置。
【請求項６】
撮像装置と当該撮像装置を収納するケースとで構成される撮像装置ユニットであって、
前記撮像装置は、
当該撮像装置の各部に電力を供給する電源手段と、
磁気を検出する磁気検出手段と、
前記磁気検出手段により磁気が検出されている否かを判断する判断手段と、
前記判断手段により磁気が検出されていると判断された場合、前記電源手段の電力供給を遮断する電源制御手段とを備え、
前記ケースは、マグネットを備えることを特徴とする撮像装置ユニット。
【請求項７】
撮像装置とマグネットとで構成される撮像装置ユニットであって、
前記撮像装置は、
当該撮像装置の各部に電力を供給する電源手段と、
磁気を検出する磁気検出手段と、
前記磁気検出手段により磁気が検出されている否かを判断する判断手段と、
前記判断手段により磁気が検出されていると判断された場合、前記電源手段の電力供給を遮断する電源制御手段とを備え、
前記マグネットは、前記撮像装置が収納される収納体内に配置可能な形状であることを特徴とする撮像装置ユニット。
【請求項８】
撮像装置と当該撮像装置を収納するケースとで構成される撮像装置ユニットであって、
前記撮像装置は、
当該撮像装置の各部に電力を供給する電源手段と、
特定の匂いを検出する匂い検出手段と、
前記匂い検出手段により特定の匂いが検出されている否かを判断する判断手段と、
前記判断手段により特定の匂いが検出されていると判断された場合、前記電源手段の電力供給を遮断する電源制御手段とを備え、
前記ケースは、前記特定の匂いを発生する発生手段を備えることを特徴とする撮像装置ユニット。
【請求項９】
当該撮像装置の各部に電力を供給する電源の制御方法であって、
磁気を検出する磁気検出ステップと、
前記磁気検出ステップにより磁気が検出されている否かを判断する判断ステップと、
前記判断ステップにより磁気が検出されていると判断された場合、前記電源の電力供給を遮断する電源制御ステップと
を含むことを特徴とする撮像装置における電源制御方法。
【請求項１０】
当該撮像装置の各部に電力を供給する電源の制御方法であって、
特定の匂いを検出する匂い検出ステップと、
前記匂い検出ステップにより特定の匂いが検出されている否かを判断する判断ステップと、
前記判断ステップにより特定の匂いが検出されていると判断された場合、前記電源の電力供給を遮断する電源制御ステップと
を含むことを特徴とする撮像装置における電源制御方法。
【発明の詳細な説明】
【技術分野】
【０００１】
本発明は、電源制御機能を備えた撮像装置、撮像装置ユニット及び撮像装置における電源制御方法に関する。
【背景技術】
【０００２】
従来、電源制御機能を備えた撮像装置として特許文献１及び２に記載の技術が知られている。
特許文献１記載の技術にあっては、装置本体から突出した使用時状態と装置本体内に退入した格納時状態とに動作する沈胴式レンズを備える一方、装置本体の前面に発光部と受光部とが設けられている。発光部から、例えば所定色の光を照射すると、前方に障害物がある場合には、発光部からの光が障害物に反射して受光部により受光される。したがって、この受光部により受光した外部からの光が前記所定色である場合には、沈胴式レンズの前方に障害物があると判定し、沈胴式レンズが突出動作する前に電源をオフにする。
【０００３】
また、特許文献２記載の技術にあっては、装置本体の前面にスピーカとマイクとが設けられている。スピーカから、例えば所定周波数の音を発生すると、前方に障害物がある場合には、スピーカからの音が障害物に反射してマイクにより検出される。したがって、このマイクにより検出した外部からの音が前記所定周波数である場合には、沈胴式レンズの前方に障害物があると判定し、沈胴式レンズが突出動作する前に電源をオフにする。
【０００４】
したがって、撮像装置を例えばカバンに入れて搬送している状態で不意に電源スイッチがオンされたとしても、沈胴式レンズが前方の障害物に向かって繰り出されることがことがない。よって、沈胴式レンズ及びその駆動機構に無理な外力が作用することを未然に防止することができ、その結果、破損を防止することができるとするものである。
【先行技術文献】
【特許文献】
【０００５】
【特許文献１】特開２００５−３１２２５号公報
【特許文献２】特開２００５−１７８３１号公報
【発明の概要】
【発明が解決しようとする課題】
【０００６】
しかしながら、特許文献１に記載の撮像装置では、発光部から光を照射しその反射光を受光部により受光することにより障害物の有無を判断することから、発光部及び受光部を前記前面等の装置本体の外面に設ける必要があり、これにより撮像装置の外観が損なわれてしまう。仮に、発光部及び受光部を装置内部に設けた場合でも、発光部からの光を外部に導出するための開口部、及び外部からの光を受光部に導くために開口部は装置本体の外面に設ける必要があるので、この場合でも撮像装置の外観が損なわれてしまう。
【０００７】
また、特許文献２に記載の撮像装置では、スピーカ及びマイクを装置内部に設けると、スピーカからの音が装置内壁に反射してマイクにより検出されてしまい、沈胴式レンズの前方に障害物があるか否かを判定することができない。したがって、スピーカ及びマイク、あるいは少なくともスピーカは前記前面等の装置本体の外面に設ける必要があり、これにより撮像装置の外観が損なわれてしまう。無論、装置本体にスピーカからの音が装置内壁に反射することなく外部に放音される開口部を設ければ、スピーカ及びマイクを装置内部に配置することが可能となるが、この場合でも前記開口部を設けることにより撮像装置の外観が損なわれてしまう。
【０００８】
本発明は、かかる従来の課題に鑑みてなされたものであり、外観を損なうことなく収納時における電源遮断制御を行うことのできる撮像装置、撮像装置ユニット及び撮像装置における電源制御方法を提供することを目的とする。
【課題を解決するための手段】
【０００９】
前記課題を解決するため本発明に係る撮像装置にあっては、当該撮像装置の各部に電力を供給する電源手段と、磁気を検出する磁気検出手段と、前記磁気検出手段により磁気が検出されている否かを判断する判断手段と、前記判断手段により磁気が検出されていると判断された場合、前記電源手段の電力供給を遮断する電源制御手段とを備えることを特徴とする。
【００１０】
また、当該撮像装置の各部に電力を供給する電源手段と、特定の匂いを検出する匂い検出手段と、前記匂い検出手段により特定の匂いが検出されている否かを判断する判断手段と、前記判断手段により特定の匂いが検出されていると判断された場合、前記電源手段の電力供給を遮断する電源制御手段とを備えることを特徴とする。
【００１１】
また、本発明に係る撮像装置ユニットにあっては、撮像装置と当該撮像装置を収納するケースとで構成される撮像装置ユニットであって、前記撮像装置は、当該撮像装置の各部に電力を供給する電源手段と、磁気を検出する磁気検出手段と、前記磁気検出手段により磁気が検出されている否かを判断する判断手段と、前記判断手段により磁気が検出されていると判断された場合、前記電源手段の電力供給を遮断する電源制御手段とを備え、前記ケースは、マグネットを備えることを特徴とする。
【００１２】
また、撮像装置とマグネットとで構成される撮像装置ユニットであって、前記撮像装置は、当該撮像装置の各部に電力を供給する電源手段と、磁気を検出する磁気検出手段と、前記磁気検出手段により磁気が検出されている否かを判断する判断手段と、前記判断手段により磁気が検出されていると判断された場合、前記電源手段の電力供給を遮断する電源制御手段とを備え、前記マグネットは、前記撮像装置が収納される収納体内に配置可能な形状であることを特徴とする。
【００１３】
また、撮像装置と当該撮像装置を収納するケースとで構成される撮像装置ユニットであって、前記撮像装置は、当該撮像装置の各部に電力を供給する電源手段と、特定の匂いを検出する匂い検出手段と、前記匂い検出手段により特定の匂いが検出されている否かを判断する判断手段と、前記判断手段により特定の匂いが検出されていると判断された場合、前記電源手段の電力供給を遮断する電源制御手段とを備え、前記ケースは、前記特定の匂いを発生する発生手段を備えることを特徴とする。
【００１４】
また、本発明に係る撮像装置における電源制御方法にあっては、当該撮像装置の各部に電力を供給する電源の制御方法であって、磁気を検出する磁気検出ステップと、前記磁気検出ステップにより磁気が検出されている否かを判断する判断ステップと、前記判断ステップにより磁気が検出されていると判断された場合、前記電源の電力供給を遮断する電源制御ステップとを含むことを特徴とする。
【００１５】
また、当該撮像装置の各部に電力を供給する電源の制御方法であって、特定の匂いを検出する匂い検出ステップと、前記匂い検出ステップにより特定の匂いが検出されている否かを判断する判断ステップと、前記判断ステップにより特定の匂いが検出されていると判断された場合、前記電源の電力供給を遮断する電源制御ステップとを含むことを特徴とする。
【発明の効果】
【００１６】
本発明によれば、磁気あるいは特定の匂いを検出して、当該撮像装置の各部に電力を供給する電源を遮断するようにしたことから、検出手段を撮像装置の内部に設けても収納時における電源遮断制御を行うことができる。したがって、検出手段を前面等の撮像装置の外部に設けたり、検出手段を内部に設けた場合は開口を設けることが不可欠となる従来技術のように、撮像装置の外観を損なうことがない。
【００１７】
よって、撮像装置の外観を損なうことなく、不意に電源が投入されて各部に電力が供給されることによる無用な電力消費、及び電力が供給された撮像装置の各部が動作して障害物と干渉することによる破損を防止することができる。
【００１８】
また、検出手段を撮像装置の内部に設けることが可能となる結果、検出手段の耐久性、延いてはこの検出手段を用いて電源制御を行う撮像装置の耐久性を向上させることができる。
【図面の簡単な説明】
【００１９】
【図１】（Ａ）は本発明の各実施の形態に共通するデジタルカメラの平面図、（Ｂ）は正面図である。
【図２】（Ａ）は同デジタルカメラの右側面図、（Ｂ）は背面図である。
【図３】本発明の第１の実施の形態に係るデジタルカメラの回路構成を示すブロック図である。
【図４】同実施の形態におけるケースの斜視図である。
【図５】同実施の形態におけるケース内にデジタルカメラを収納した状態の透視斜視図である。
【図６】同実施の形態の処理手順を示すフローチャートである。
【図７】本発明の第２の実施の形態に係るデジタルカメラの回路構成を示すブロック図である。
【図８】同実施の形態の処理手順を示すフローチャートである。
【発明を実施するための形態】
【００２０】
以下、本発明の一実施の形態を図に従って説明する。
（第１の実施の形態）
図１（Ａ）は本発明の各実施の形態に共通するデジタルカメラ１の平面図、同図（Ｂ）は正面図、図２（Ａ）は右側面図、同図（Ｂ）背面図である。このデジタルカメラ１の前面部には、沈胴式レンズ部２が設けられており、上面部には電源キー４とシャッターキー５とが設けられている。沈胴式レンズ部２は、径の異なる複数のレンズ筒３を摺動自在に内嵌させることにより、デジタルカメラ１の本体６から外部に突出したレンズオープン状態と、本体６内に後退したレンズクローズ状態とに伸縮自在であって、内部に複数のレンズからなる光学系７が配置されている。
【００２１】
また、背面部には、液晶モニタ２３が設けられているとともに、液晶モニタ２３の周部に撮影ボタン８、再生ボタン９、ページ送り・戻しキー１１が設けられている。ページ送り・戻しキー１１は、シーソー式のキーであって左右端部に対する操作に応じて、ページ戻し指示とページ送り指示とを発生し、上下端部に対する操作に応じて液晶モニタ２３に表示される「↑」「↓」に対応する指示を発生するキーである。このページ送り・戻しキー１１の中心部にはＳＥＴキー１２が設けられている。なお、前記撮影ボタン８と再生ボタン９とは、電源ＯＮ／ＯＦＦキーとしての機能も兼ねるものである。
【００２２】
図３は、本体６内に設けられたデジタルカメラ１の回路構成を示すブロック図である。このデジタルカメラ１は、ＡＦ機能とともにＡＥ、ＡＷＢ等の一般的な機能をも有するものである。したがって、レンズブロック３１には、ズームレンズ、フォーカスレンズ等の前記光学系７、及び光学系７を駆動するための駆動機構が含まれており、前記光学系７は、駆動機構に設けられているモーター３２によって光軸方向に駆動される。また、前記沈胴式レンズ部２にもこれを駆動する駆動機構が含まれており、沈胴式レンズ部２は駆動機構に設けられているモーター３３によって進退駆動される。
【００２３】
なお、本実施の形態において、前記ＡＦは、フォーカスレンズを光軸方向に移動させながら、各位置で撮像した画像のＡＦ評価値（コントラスト値）を検出し、ＡＦ評価値のピーク位置を合焦位置とするコントラスト検出方式である。
【００２４】
デジタルカメラ１全体を制御するＣＰＵ１３には、バス１４及びタイミング発生器（ＴＧ：Timming Generator）１５を介してモータードライバ１６、１７が接続されており、モータードライバ１６は、ＣＰＵ１３の命令に従いタイミング発生器１５が発生するタイミング信号に基づき前記モーター３２を駆動し、モータードライバ１６は前記モーター３３を駆動する。
【００２５】
また、このデジタルカメラ１は撮像素子としてＣＣＤ１８を有している。ＣＣＤ１８は、レンズブロック３１の光軸上に配置されており、被写体は、レンズブロック３１によってＣＣＤ１８の受光面に結像される。ＣＣＤ１８は、ＣＰＵ１３の命令に従いタイミング発生器１５が生成するタイミング信号に基づき垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部２１へ出力する。
【００２６】
画像処理部２１は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部２１で変換されたＹＵＶデータは順次ＳＤＲＡＭ２２に格納されるとともに、ＲＥＣスルーモードでは１フレーム分のデータ（画像データ）が蓄積される毎にビデオ信号に変換され、後述するバックライトユニット２４を備える前記液晶モニタ２３へ送られてスルー画像として画面表示される。
【００２７】
そして、シャッターキー５の操作をトリガとして、ＣＰＵ１３は、ＣＣＤ１８、垂直及び水平ドライバ１９、ユニット回路２０、及び画像処理部２１に対してスルー画撮影モード（ＲＥＣスルーモード）から静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。この外部メモリ２５に記録された静止画ファイルは、ＰＬＡＹモードにおいてページ送り・戻しキー１１の操作に応じて選択されてＣＰＵ１３に読み出されるとともに伸張され、ＹＵＶデータとしてＳＤＲＡＭ２２に展開された後、液晶モニタ２３に表示される。
【００２８】
フラッシュメモリ２６には、ＣＰＵ１３に前記各部を制御させるための各種のプログラム、例えばＡＥ、ＡＦ、ＡＷＢ制御用のプログラムや、ＣＰＵ１３を本発明における各種手段等として機能させるためのプログラム等の各種のプログラムが格納されている。
【００２９】
また、デジタルカメラ１は、図１に示した各種キー４、８〜１２等の複数の操作キー及びスイッチを含むキー入力部２７、ニッケル水素電池等の充電可能なバッテリー２８、このバッテリー２８の電力を各部に供給し又は遮断する電源回路２９、及びこれらを制御するマイコン３０を有している。
【００３０】
マイコン３０は、キー入力部２７における前記キーの操作の有無を定常的にスキャンしており、ユーザによっていずれかの操作キーが操作されると、その操作内容に応じた操作信号をＣＰＵ１３へ送る。また、マイコン３０は、ＣＰＵ１３からの指示に従って動作し、電源回路２９を制御してバッテリー２８からの電力を各部に供給させ、あるいは各部への電力供給を遮断させる。
【００３１】
更に、このデジタルカメラ１には、磁気検出センサ３４が設けられている。この磁気検出センサ３４は、デジタルカメラ１の周辺における磁気の存在を検出してＣＰＵ１３に信号を送出するものであり、公知の磁気センサが用いられている。
【００３２】
図４は、デジタルカメラ１が収納されるケース５０を示す斜視図である。このケース５０は、所謂ソフトケースであって合成皮革等の柔軟性を有する素材が用いられており、ケース体５１と蓋体５２とで構成されている。ケース体５１は、一側部に出入口５３が設けられた矩形の箱体であり、図５に示すように、デジタルカメラ１の主用部分を収容可能な容積を有している。このケース体５１には、上面中央部であって出入口５３の近傍にマグネット５４が貼設されている。
【００３３】
蓋体５２は、ケース体５１の背面に延設されており、図４に示す開放状態における上面側には、先端中央部に金属片５５が貼設されている。また、蓋体５２は、図５に示すように、デジタルカメラ１をケース体５１内に収容した後折り返すことにより、デジタルカメラ１の突出部分を覆い得る長さを有している。そして、蓋体５２を折り返した後金属片５５をマグネット５４に磁着させることより、蓋体５２が閉止されてデジタルカメラ１は収納状態となるように構成されている。
【００３４】
なお、前記磁気検出センサ３４は、図５に示した収納状態において、デジタルカメラ１の本体６内部であって、マグネット５４の直下となる位置に配置されている。
【００３５】
以上の構成に係る本実施の形態において、ＣＰＵ１３は前記フラッシュメモリ２６に格納されているプログラムに基づき、図６のフローチャートに示す処理を実行する。すなわち、ＣＰＵ１３は、磁気検出センサ３４からの入力信号に基づき、磁気を検出したか否かを判断する（ステップＳ１０１）。このとき、ユーザがデジタルカメラ１を使用しており、デジタルカメラ１がケース５０外に取り出されている状態あれば、マグネット５４の磁気が磁気検出センサ３４により検出されることはなく、ステップＳ１０１の判断はＮＯとなる。したがって、ステップＳ１０１からステップＳ１０５に進み、電源フラグＰＦが「１」となっているか否かを判断する。
【００３６】
この電源フラグＰＦは、「１」、「０」により下記の状態を示すフラグである。
ＰＦ＝１：電源回路２９が接続動作してバッテリー２８からの電力を各部に供給している          状態であることを示す。
ＰＦ＝０：電源回路２９が遮断動作してバッテリー２８からの電力の各部への供給を停止          している状態であることを示す。
【００３７】
そして、ＰＦ＝１であって、電源回路２９が動作してバッテリー２８からの電力を各部に供給している状態にあるならば、ステップＳ１０５からステップＳ１０１に戻る。したがって、ユーザがデジタルカメラ１を使用している状態ある場合には、「Ｓ１０１→Ｓ１０５→Ｓ１０１」のループが繰り返される。これにより、デジタルカメラ１の各部には、バッテリー２８からの電力が供給され、モーター３２を動作させてＡＦを伴いつつ撮影を行う等の使用が可能となる。また、撮影を終了して前記電源ＯＮ／ＯＦＦキーをオフ操作した際には、モーター３３が動作して沈胴式レンズ部２を本体６内に後退したレンズクローズ状態にする等が可能となる。
【００３８】
このように、撮影を終了して沈胴式レンズ部２をレンズクローズ状態にしたならば、図５に示すように、デジタルカメラ１をケース体５１内に収容し、蓋体５２を折り返した後金属片５５をマグネット５４に磁着させる。これにより、デジタルカメラ１はケース５０内に収納された状態となる。
【００３９】
この収納状態においては、前述のようにデジタルカメラ１の磁気検出センサ３４は、マグネット５４の直下に位置する。このため、磁気検出センサ３４はマグネット５４の磁気を確実に検出することができる。
【００４０】
したがって、磁気検出センサ３４がマグネット５４の磁気を検出してその信号をＣＰＵ１３に出力する。よって、前記繰り返されているループ「Ｓ１０１→Ｓ１０５→Ｓ１０１」において、ステップＳ１０１の判断がＹＥＳとなり、ＣＰＵ１３はステップＳ１０２に進んでＰＦ＝０となっているか否かを判断する。このとき、デジタルカメラ１をケース体５１内に収納した直後であると、電源回路２９は接続動作を継続しており、バッテリー２８からの電力を各部に供給している状態であって、ＰＦ＝１の状態にある。
【００４１】
したがって、ＰＦ＝１の状態であることによりステップＳ１０２の判断はＮＯとなり、ＣＰＵ１３はステップＳ１０３に進んでマイコン３０に電源遮断を指示する。すると、マイコン３０は、ＣＰＵ１３からの指示に従って動作し、電源回路２９を制御してバッテリー２８から各部への電力供給を遮断させる。
【００４２】
よって、デジタルカメラ１をケース５０内に収納した際、あるいは収納後搬送している状態で、外力等により電源ＯＮ／ＯＦＦキーとしての機能を兼ねる撮影ボタン８や再生ボタン９がオン動作したとしても、電力が各部に供給されることはなく、バッテリー２８の無用な電力消費を未然に防止することができる。
【００４３】
また、各部への電力供給が遮断されることから、収納状態においてモーター３３が不意に動作することもない。したがって、沈胴式レンズ部２が障害物となるケース体５１の内面に向かって繰り出されることがことがなく、沈胴式レンズ部２に無理な外力が作用することを未然に防止することができ、その結果、破損を防止することができる。
【００４４】
また、収納状態においてモーター３２が不意に動作することもない。したがって、モーター３２によるズーム動作やフォーカス動作に伴って、光学系７が光軸方向に駆動されることがことがなく、光学系７に無理な外力が作用することを未然に防止することができ、その結果、破損を防止することができる。
【００４５】
しかも、磁気検出センサ３４をデジタルカメラ１の本体６内に設けてもマグネット５４の磁気検出は可能であることから、デジタルカメラ１の外観が損なわれてしまうことはない。したがって、デジタルカメラ１の外観を損なうことなく電源制御を行うことができ、デジタルカメラ１の外観を損なうことなく、無用な電力消費、沈胴式レンズ部２及び光学系７の破損を防止することができる。
【００４６】
また、磁気検出センサ３４をデジタルカメラ１の本体６内に設けることができることから、磁気検出センサ３４の外力による破損を未然に防止することができる。したがって、磁気検出センサ３４の耐久性、延いてはデジタルカメラ１の耐久性を高めることができる。
【００４７】
そして、ステップＳ１０３に続くステップＳ１０４でＣＰＵ１３は、電源回路２９が遮断動作してバッテリー２８からの電力の各部への供給を停止している状態であることを示すべく、電源フラグＰＦを「０」にして、ステップＳ１０１に戻る。したがって、デジタルカメラ１がケース５０内に収納されている状態においては、「Ｓ１０１→Ｓ１０２→Ｓ１０１」のループが繰り返されて、電源遮断状態が維持される。
【００４８】
また、ユーザが再度撮影を行うべく、デジタルカメラ１をケース５０から取り出すと、磁気検出センサ３４はマグネット５４の磁気を検出することが不可能となる。したがって、前記繰り返されている「Ｓ１０１→Ｓ１０２→Ｓ１０１」のループにおいて、ステップＳ１０１の判断がＮＯとなり、ＣＰＵ１３はステップＳ１０５に進んでＰＦ＝１となっているか否かを判断する。このとき、デジタルカメラ１をケース体５１から取り出した直後であると、電源回路２９は遮断動作を継続しており、バッテリー２８からの電力の各部への供給を停止してい状態であって、ＰＦ＝０の状態にある。
【００４９】
したがって、ステップＳ１０５の判断はＮＯとなりステップＳ１０６に進んで、ＣＰＵ１３はマイコン３０に電源接続を指示する。すると、マイコン３０は、ＣＰＵ１３からの指示に従って動作し、電源回路２９を制御してバッテリー２８からの電力を各部に供給させる。よって、デジタルカメラ１をケース５０外に取り出した後は、キー入力部２７にて所望のキーを操作することにより、撮影や再生を行うことが可能となる。そして、ステップＳ１０６に続くステップＳ１０７でＣＰＵ１３は、電源回路２９が接続動作してバッテリー２８からの電力の各部への供給されている状態であることを示すべく、電源フラグＰＦを「１」にして、ステップＳ１０１に戻る。
【００５０】
なお、本実施の形態においては、磁気検出センサ３４を図５に示した収納状態において、デジタルカメラ１の本体６内部であって、マグネット５４の直下となる位置に配置するようにした。しかし、磁気検出センサ３４の配置位置はこれに限らず、収納状態でマグネット５４の磁気を検出することができる位置であれば、本体６内部の他の位置であってもよい。
【００５１】
また、本実施の形態においては、デジタルカメラ専用のケース５０に設けられている蓋体５２を係止するためのマグネット５４を有効利用して磁気検出を行うようにしたが、一般的なカバンやハンドバッグにデジタルカメラ１を収納して搬送する場合には、カバンやハンドバッグ内に予めマグネットを入れておくようにすればよい。この場合、デジタルカメラ１の販売等に際して、当該デジタルカメラ１とカバンやハンドバッグに入れるためのマグネットとをセットにして提供するようにすればよい。
【００５２】
（第２の実施の形態）
図７は、本発明の第２の実施の形態に係るデジタルカメラ１の本体６内に設けられた回路構成を示すブロック図である。図示のように、本実施の形態においては前述した第１の実施の形態で用いた磁気検出センサ３４に代わって匂いセンサ３５が設けられている。なお、これ以外の構成は第１の実施の形態と同様であるので、同一部分に同一符号を付して説明を省略する。
【００５３】
匂いセンサ３５は、例えば水晶振動子ガスセンサであって、感応膜に特定の匂いのある気体分子が吸着すると感応膜が水晶に影響を及ぼし、周波数が減少する。この周波数変化を感じ取ることで匂いがあると判断して、ＣＰＵ１３に信号を送出するものである。
【００５４】
なお、デジタルカメラ１の収納用に前記ケース５０を用いる場合には、予めケース体５１の内面等に匂いセンサ３５が感知する前記特定の匂い、例えば特定の香水の匂いを付着させておく。
【００５５】
以上の構成に係る本実施の形態において、ＣＰＵ１３は前記フラッシュメモリ２６に格納されているプログラムに基づき、図８のフローチャートに示す処理を実行する。すなわち、ＣＰＵ１３は、匂いセンサ３５からの入力信号に基づき、特定の匂いを検出したか否かを判断する（ステップＳ２０１）。このとき、ユーザがデジタルカメラ１を使用しており、デジタルカメラ１がケース５０外に取り出されている状態あれば、ステップＳ２０１の判断はＮＯとなる。したがって、ステップＳ２０１からステップＳ２０５に進み、電源フラグＰＦが「１」となっているか否かを判断する。
【００５６】
そして、ＰＦ＝１であって、電源回路２９が動作してバッテリー２８からの電力を各部に供給している状態にあるならば、ステップＳ２０５からステップＳ２０１に戻る。したがって、ユーザがデジタルカメラ１を使用している状態ある場合には、「Ｓ２０１→Ｓ２０５→Ｓ２０１」のループが繰り返される。これにより、デジタルカメラ１の各部には、バッテリー２８からの電力が供給され、モーター３２を動作させてＡＦを伴いつつ撮影を行う等の使用が可能となる。また、撮影を終了して前記電源ＯＮ／ＯＦＦキーをオフ操作した際には、モーター３３が動作して沈胴式レンズ部２を本体６内に後退したレンズクローズ状態にする等が可能となる。
【００５７】
このように、撮影を終了して沈胴式レンズ部２をレンズクローズ状態にしたならば、図５に示すように、デジタルカメラ１をケース体５１内に収容し、蓋体５２を折り返した後金属片５５をマグネット５４に磁着させる。これにより、デジタルカメラ１はケース５０内に収納された状態となる。
【００５８】
このとき、デジタルカメラ１は、気密性を有するものではなく、本体６を構成するパネル部材のパーティングラインに沿った間隙や、本体６と沈胴式レンズ部２間の間隙等、不可避的に微小な間隙を有している。したがって、これら不可避的な微小間隙を介して外部の空気はデジタルカメラ１の内部に侵入することが可能である。
【００５９】
このため、ケース５０内に存在する前記特定の匂いのある気体分子がデジタルカメラ１の内部に侵入して、匂いセンサ３５の感応膜に吸着し、匂いセンサ３５は周波数変化により匂いがあると判断して、ＣＰＵ１３に信号を送出する。よって、前記繰り返されているループ「Ｓ２０１→Ｓ２０５→Ｓ２０１」において、ステップＳ２０１の判断がＹＥＳとなり、ＣＰＵ１３はステップＳ２０２に進んでＰＦ＝０となっているか否かを判断する。このとき、デジタルカメラ１をケース体５１内に収納した直後であると、電源回路２９は接続動作を継続しており、バッテリー２８からの電力を各部に供給している状態であって、ＰＦ＝１の状態にある。
【００６０】
したがって、ステップＳ２０２の判断はＮＯとなりステップＳ２０３に進んで、ＣＰＵ１３はマイコン３０に電源遮断を指示する。すると、マイコン３０は、ＣＰＵ１３からの指示に従って動作し、電源回路２９を制御してバッテリー２８から各部への電力供給を遮断させる。
【００６１】
よって、デジタルカメラ１をケース５０内に収納した際、あるいは収納後搬送している状態で、外力等により電源ＯＮ／ＯＦＦキーとしての機能を兼ねる撮影ボタン８や再生ボタン９がオン動作したとしても、電力が各部に供給されることはなく、バッテリー２８の無用な電力消費を未然に防止することができる。
【００６２】
また、各部への電力供給が遮断されることから、収納状態においてモーター３３が不意に動作することもない。したがって、沈胴式レンズ部２が障害物となるケース体５１の内面に向かって繰り出されることがことがなく、沈胴式レンズ部２に無理な外力が作用することを未然に防止することができ、その結果、破損を防止することができる。
【００６３】
また、収納状態においてモーター３２が不意に動作することもない。したがって、モーター３２によるズーム動作やフォーカス動作に伴って、光学系７が光軸方向に駆動されることがことがなく、光学系７に無理な外力が作用することを未然に防止することができ、その結果、破損を防止することができる。
【００６４】
しかも、匂いセンサ３５をデジタルカメラ１の本体６内に設けても特定の匂い検出は可能であることから、デジタルカメラ１の外観が損なわれてしまうことはない。したがって、デジタルカメラ１の外観を損なうことなく電源制御を行うことができ、デジタルカメラ１の外観を損なうことなく、無用な電力消費、沈胴式レンズ部２及び光学系７の破損を防止することができる。
【００６５】
また、匂いセンサ３５をデジタルカメラ１の本体６内に設けることができることから、匂いセンサ３５の外力による破損を未然に防止することができる。したがって、匂いセンサ３５の耐久性、延いてはデジタルカメラ１の耐久性を高めることができる。
【００６６】
そして、ステップＳ２０３に続くステップＳ２０４でＣＰＵ１３は、電源回路２９が遮断動作してバッテリー２８からの電力の各部への供給を停止している状態であることを示すべく、電源フラグＰＦを「０」にして、ステップＳ２０１に戻る。したがって、デジタルカメラ１がケース５０内に収納されている状態においては、「Ｓ２０１→Ｓ２０２→Ｓ２０１」のループが繰り返されて、電源遮断状態が維持される。
【００６７】
また、ユーザが再度撮影を行うべく、デジタルカメラ１をケース５０から取り出すと、匂いセンサ３５は特定の匂いを検出し続けることが不可能となる。したがって、前記繰り返されているループ「Ｓ２０１→Ｓ２０２→Ｓ２０１」において、ステップＳ２０１の判断がＮＯとなり、ＣＰＵ１３はステップＳ２０５に進んでＰＦ＝１となっているか否かを判断する。このとき、デジタルカメラ１をケース体５１から取り出した直後であると、電源回路２９は遮断動作を継続しており、バッテリー２８からの電力の各部への供給を停止してい状態であって、ＰＦ＝０の状態にある。
【００６８】
したがって、ステップＳ２０５の判断はＮＯとなりステップＳ２０６に進んで、ＣＰＵ１３はマイコン３０に電源接続を指示する。すると、マイコン３０は、ＣＰＵ１３からの指示に従って動作し、電源回路２９を制御してバッテリー２８からの電力を各部に供給させる。よって、デジタルカメラ１をケース５０外に取り出した後は、キー入力部２７にて所望のキーを操作することにより、撮影や再生を行うことが可能となる。そして、ステップＳ２０６に続くステップＳ２０７でＣＰＵ１３は、電源回路２９が接続動作してバッテリー２８からの電力の各部への供給されている状態であることを示すべく、電源フラグＰＦを「１」にして、ステップＳ２０１に戻る。
【００６９】
なお、本実施の形態においては、デジタルカメラ１の専用のケース５０を用いるようにしたが、一般的なカバンやハンドバッグにデジタルカメラ１を収納して搬送する場合には、カバンやハンドバッグ内に予め特定の匂いの香水を付着させておいたり、特定の匂いを発生する芳香剤を入れておくようにすればよい。この場合、デジタルカメラ１の販売等に際して、当該デジタルカメラ１とカバンやハンドバッグ付着させる香水や入れる芳香剤とをセットにして提供するようにすればよい。
【符号の説明】
【００７０】
１    デジタルカメラ
２    沈胴式レンズ部
３    レンズ筒
４    電源キー
５    シャッターキー
６    本体
７    光学系
８    撮影ボタン
９    再生ボタン
１３    ＣＰＵ
１６    モータードライバ
１８    ＣＣＤ
１９    水平ドライバ
２０    ユニット回路
２１    画像処理部
２６    フラッシュメモリ
２７    キー入力部
２８    バッテリー
２９    電源回路
３０    マイコン
３１    レンズブロック
３２    モーター
３３    モーター
３４    磁気検出センサ
３５    匂いセンサ
５０    ケース
５１    ケース体
５２    蓋体
５３    出入口
５４    マグネット
５５    金属片
【図１】
2010271430.tif 000003
【図２】
2010271430.tif 000004
【図３】
2010271430.tif 000005
【図４】
2010271430.tif 000006
【図５】
2010271430.tif 000007
【図６】
2010271430.tif 000008
【図７】
2010271430.tif 000009
【図８】
2010271430.tif 000010